(57)【要約】【課題】組み立て時において、キャップと管体との回転方向の位置決めを容易に行うことが可能な照明装置を提供する。【解決手段】この直管型ＬＥＤ照明装置（照明装置）１００は、光源となるＬＥＤ素子３ａと、ＬＥＤ素子３ａを内部に収納するとともに、外周面に管軸方向に延びる境界線１ａを有するチューブ１と、チューブ１の両端部に取り付けられ、一対の端子２１を含む底部を有する管形状のキャップ２ａおよび２ｂとを備え、キャップ２ａおよび２ｂをチューブ１に対して、キャップ２ａおよび２ｂの筒状部２３ａの外周面に設けられた目印部２２と、チューブ１の外周面に設けられた境界線１ａとを対応させることにより、位置決めすることができるように構成されている。【選択図】図２
2014175260.tif 000002
【特許請求の範囲】
【請求項１】
光源となる発光素子と、
筒形状に形成され、前記発光素子を内部に収納するとともに、外周面に互いに色調の異なる第１部分と第２部分との管軸方向に延びる境界線を有する管体と、
前記管体の端部に取り付けられ、外部に露出する一対の端子を含む底部を有する形状のキャップとを備え、
前記キャップは、前記キャップの外表面の前記管体の前記境界線に対応する位置に設けられ、前記管体に対する前記キャップの回転方向の位置決めを行うための目印部を含む、照明装置。
【請求項２】
前記管体には、複数の前記境界線が形成されており、
前記キャップの外表面には、前記複数の境界線のそれぞれに対応する複数の前記目印部が形成されている、請求項１に記載の照明装置。
【請求項３】
前記キャップの前記目印部は、管軸方向から見て前記一対の端子を結ぶ直線の延長線上の前記外表面に配置されている、請求項１または２に記載の照明装置。
【請求項４】
前記キャップの前記目印部の周方向における長さは、前記管体の前記境界線の周方向における長さよりも大きく設定されている、請求項１〜３のいずれか１項に記載の照明装置。
【請求項５】
前記キャップの前記目印部は、前記キャップの外周面に設けられ、管軸方向に線状に延びる凹状部または凸状部を含む、請求項１〜４のいずれか１項に記載の照明装置。
【請求項６】
前記目印部を構成する線状の前記凹状部または凸状部は、互いに近接した状態で略平行に延びるように複数本配置されている、請求項５に記載の照明装置。
【請求項７】
前記キャップは、前記キャップの内周面に形成され、管軸方向に延びる凹状の接着剤溜め部を含む、請求項１〜６のいずれか１項に記載の照明装置。
【発明の詳細な説明】
【技術分野】
【０００１】
この発明は、照明装置に関し、特に、発光素子を備える照明装置に関する。
【背景技術】
【０００２】
従来、ＬＥＤ（Ｌｉｇｈｔ  Ｅｍｉｔｔｉｎｇ  Ｄｉｏｄｅ）などの発光素子を備える照明装置が知られている（たとえば、特許文献１参照）。
【０００３】
上記特許文献１には、ＬＥＤ（発光素子）が実装された回路基板と、円筒形状に形成され、回路基板を内部に収納するパイプ部材と、ジョイント部材を介してパイプ部材の端部を塞ぐように取り付けられ、外部に露出する一対の端子ピンを含む底部を有する管形状の口金とを備えたＬＥＤ照明灯（照明装置）が開示されている。また、このＬＥＤ照明灯では、ジョイント部材に設けられた凸部をパイプ部材の内側に設けられた凹部に係合させるとともに、ジョイント部材の凹部を口金の内側に設けられた凸部に係合させることにより、口金のパイプ部材に対する相対的な位置決めが行われる。
【先行技術文献】
【特許文献】
【０００４】
【特許文献１】特開２０１１−３２１３号公報
【発明の概要】
【発明が解決しようとする課題】
【０００５】
しかしながら、上記特許文献１のＬＥＤ照明灯では、ジョイント部材に設けられた凸部をパイプ部材の内側に設けられた凹部に係合させるとともに、ジョイント部材の凹部を口金の内側に設けられた凸部に係合させることにより、口金のパイプ部材に対する相対的な位置決めが行われるので、パイプ部材と口金との回転方向の位置決めを行う際に、パイプ部材および口金の内側を覗き込みながら位置決めする必要があり、口金とパイプ部材との位置決めに手間がかかるという問題がある。
【０００６】
この発明は、組み立て時において、キャップと管体との回転方向の位置決めを容易に行うことが可能な照明装置を提供することである。
【課題を解決するための手段】
【０００７】
この発明の一の局面による照明装置は、光源となる発光素子と、筒形状に形成され、発光素子を内部に収納するとともに、外周面に互いに色調の異なる第１部分と第２部分との管軸方向に延びる境界線を有する管体と、管体の端部に取り付けられ、外部に露出する一対の端子を含む底部を有する形状のキャップとを備え、キャップは、キャップの外表面の管体の境界線に対応する位置に設けられ、管体に対するキャップの回転方向の位置決めを行うための目印部を含んでいる。
【０００８】
この発明の一の局面による照明装置では、上記のように、キャップの外表面の管体の境界線に対応する位置に管体に対するキャップの回転方向の位置決めを行うための目印部を設けることによって、管体の外周面の境界線に対してキャップの目印部を外側から視認しながら位置合わせをすることができるので、組み立て時において、キャップと管体との回転方向の位置決めを容易に行うことができる。
【０００９】
上記一の局面による照明装置において、好ましくは、管体には、複数の境界線が形成されており、キャップの外表面には、複数の境界線のそれぞれに対応する複数の目印部が形成されている。このように構成すれば、異なる回転方向の位置に形成され複数の目印部のうちのいずれの目印部を用いてもキャップと管体との位置決めを行うことができるので、一定の方向からしか目印部を目視することができない場合に比べて、キャップと管体とを位置決めする際の作業性を向上することができる。
【００１０】
上記一の局面による照明装置において、好ましくは、キャップの目印部は、管軸方向から見て一対の端子を結ぶ直線の延長線上の外表面に配置されている。このように構成すれば、キャップの目印部から一対の端子の配置状態を把握することができるので、照明装置を取り付ける際に、端子を直接視認することができない場合でも一対の端子を所望の方向に向けて照明装置を容易に取り付けることができる。
【００１１】
上記一の局面による照明装置において、好ましくは、キャップの目印部の周方向における長さは、管体の境界線の周方向における長さよりも大きく設定されている。このように構成すれば、製造誤差に起因して管体の境界線の位置が周方向にばらつく場合でも、キャップの目印部の周方向の範囲内に管体の境界線を位置合わせして、キャップと管体との位置決めを容易に行うことができる。
【００１２】
上記一の局面による照明装置において、好ましくは、キャップの目印部は、キャップの外周面に設けられ、管軸方向に線状に延びる凹状部または凸状部を含む。このように構成すれば、キャップの管体に対する位置決めを、管体の境界線と凹状部または凸状部により構成される線状部とにより、線同士を対応させることによって行うことができるので、視覚的にわかりやすく容易に位置決めすることができる。また、目印部を凸状部により構成した場合には、照明装置を平面上に置いた際に、凸状部が回り止めとして機能するので、安定した状態で保持できる。
【００１３】
この場合、好ましくは、目印部を構成する線状の凹状部または凸状部は、互いに近接した状態で略平行に延びるように複数本配置されている。このように構成すれば、製造誤差に起因して管体の境界線の位置がばらつく場合でも、互いに近接した状態で略平行に延びる複数本の凹状部または凸状部の周方向の配置範囲内に管体の境界線を位置合わせするとともに、線同士を対応させてキャップと管体との位置決めをより容易に行うことができる。
【００１４】
上記一の局面による照明装置において、好ましくは、キャップは、キャップの内周面に形成され、管軸方向に延びる凹状の接着剤溜め部を含む。このように構成すれば、接着剤を用いてキャップを管体に取り付ける際に、凹状の接着剤溜め部に接着剤を溜めることができるので、キャップと管体との接触面から接着剤がはみ出るのを防止することができる。
【発明の効果】
【００１５】
本発明によれば、上記のように、組み立て時において、キャップと管体との回転方向の位置決めを容易に行うことができる。
【図面の簡単な説明】
【００１６】
【図１】本発明の一実施形態による直管型ＬＥＤ照明装置の全体の構成を示した斜視図である。
【図２】本発明の一実施形態による直管型ＬＥＤ照明装置の全体の構成を示した正面図である。
【図３】本発明の一実施形態による直管型ＬＥＤ照明装置の全体の構成を示した分解斜視図である。
【図４】本発明の一実施形態による直管型ＬＥＤ照明装置のキャップの内部を示した図である。
【図５】本発明の一実施形態による直管型ＬＥＤ照明装置のＬＥＤ基板を示した平面図である。
【図６】図１の３００−３００線に沿った断面図である。
【図７】本発明の一実施形態による直管型ＬＥＤ照明装置のチューブにヒートシンクを挿入する際の状態を示した斜視図である。
【図８】本発明の一実施形態による直管型ＬＥＤ照明装置のスペーサ部材の配置状態を示した概略図である。
【図９】本発明の一実施形態による直管型ＬＥＤ照明装置のキャップをチューブに取り付ける際の状態を示した斜視図である。
【図１０】本発明の一実施形態の変形例による直管型ＬＥＤ照明装置の全体の構成を示した斜視図である。
【図１１】本発明の一実施形態の変形例による直管型ＬＥＤ照明装置のキャップの内部を示した図である。
【発明を実施するための形態】
【００１７】
以下、本発明の実施形態を図面に基づいて説明する。
【００１８】
図１〜図９を参照して、本発明の一実施形態による直管型ＬＥＤ照明装置１００の構成について説明する。なお、直管型ＬＥＤ照明装置１００は、本発明の「照明装置」の一例である。
【００１９】
本実施形態による直管型ＬＥＤ照明装置１００は、図１に示すように、円筒形状に形成されたチューブ１と、チューブ１の管軸方向（Ｘ方向）の両端部に取り付けられ、一対の端子２１を含む底部を有する管形状（底部を有する円筒形状）の一対のキャップ２ａおよび２ｂとを備えている。また、キャップ２ａおよび２ｂは、図２および図４に示すように、チューブ１に対して、チューブ１の外周面に設けられた一対の境界線１ａと、キャップ２ａおよび２ｂの外周面に設けられた一対の目印部２２とを対応させることにより位置決めされている。また、チューブ１の内部には、図３に示すように、ＬＥＤ素子３ａ（図５参照）が実装される複数のＬＥＤ基板３と、複数のＬＥＤ基板３を支持するとともにＬＥＤ素子３ａの熱を放熱するヒートシンク４と、交流電源から供給された交流電力を直流電力に変換するための電子部品５ａが実装された電源基板５と、電源基板５で変換された直流電力の電圧を制御してＬＥＤ基板３に供給するための電子部品６ａが実装された制御基板６とが収納されている。また、チューブ１の内部において、キャップ２ａおよび２ｂとヒートシンク４との間のそれぞれの隙間には、スペーサ部材７が１つずつ設けられている。なお、チューブ１は、本発明の「管体」の一例である。また、ＬＥＤ素子３ａは、本発明の「発光素子」の一例である。
【００２０】
チューブ１は、直線状に延びる円筒形状に形成されている。具体的には、チューブ１は、図３および図６に示すように、Ｚ１方向側に配置される略半円弧形状の断面を有する表部１２と、Ｚ２方向側に配置される略半円弧形状の断面を有する裏部１３とを含み、表部１２と裏部１３とが一体となって円筒形状に形成されている。また、図２に示すように、表部１２と裏部１３とは互いに色調が異なる（たとえば、表部１２が乳白色、裏部１３が白色になる）ように構成されている。このため、表部１２と裏部１３との２つの境界には管軸方向に延びる直線状の一対の境界線１ａが形成されている。この一対の境界線１ａは、上記のように、キャップ２ａおよび２ｂを取り付ける際に、キャップ２ａおよび２ｂの一対の目印部２２を位置決めするために利用される。また、チューブ１は、樹脂材（たとえば、ポリカーボネート）からなり、表部１２と裏部１３とが一体成型されている。表部１２は、光拡散材を含み、ＬＥＤ素子３ａから出射される光を拡散させながら透光可能なように構成されている。裏部１３は、光拡散材を含み、表部１２よりも光を透過させ難いように構成されている。また、表部１２は、半透明に構成され、裏部１３は、不透明に構成されている。また、表部１２および裏部１３は、約１ｍｍの板厚を有している。なお、表部１２は、本発明の「第１部分」の一例である。また、裏部１３は、本発明の「第２部分」の一例である。
【００２１】
また、チューブ１の内部には、図３、図６および図７に示すように、一対のリブ１２１が設けられている。また、一対のリブ１２１は、裏部１３の内面１３ａ（チューブ１の内面１３ａ）から内側に向かって突出するように形成されている。また、一対のリブ１２１は、チューブ１の管軸方向（Ｘ方向）の一方端部から他方端部まで、管軸方向の全域にわたって管軸方向に延びるように形成されている。また、一対のリブ１２１は、後述するように、ヒートシンク４および２つのスペーサ部材７の移動を規制する機能を有するとともに、ヒートシンク４および２つのスペーサ部材７をチューブ１に挿入する際のガイドとして機能するように構成されている。
【００２２】
図１〜図３に示すように、キャップ２ａは、チューブ１の管軸方向の一方端部（Ｘ１方向の端部）の開口を塞ぐように取り付けられ、キャップ２ｂは、チューブ１の管軸方向の他方端部（Ｘ２方向の端部）の開口を塞ぐように取り付けられる。なお、キャップ２ａおよび２ｂは同様の構成を有している。このため、これ以降はキャップ２ａの構成について説明し、キャップ２ｂについてはその説明を省略する。
【００２３】
キャップ２ａは、一対の目印部２２をチューブ１の一対の境界線１ａに対応させることにより、チューブ１に所定の回転方向で位置決めされている。また、キャップ２ａは、チューブ１が挿入される筒状部２３ａおよび２３ｂと、筒状部２３ｂの一方端部を塞ぐ底部２４とを含んでいる。また、底部２４には、キャップ２ａの外部に露出し、管軸方向に延びる一対の端子２１が取り付けられている。
【００２４】
ここで、本実施形態では、キャップ２ａは、図２および図４に示すように、管軸方向から見て一対の端子２１を結ぶ直線の延長線上（図４に示す中心線Ｃ１上）であって、筒状部２３ａの外周面の管軸方向にわたる全域に、直線状の一対の目印部２２が形成されている。また、一対の目印部２２は、それぞれ３つの凹状部２５ａ、２５ｂおよび２５ｃから構成されている。また、一対の目印部２２は、図２に示すように、チューブ１にキャップ２ａが取り付けられた状態でチューブ１の境界線１ａに対応する位置に配置されている。具体的には、図２に示すように、一方の境界線１ａが、目印部２２の周方向における中央に位置する凹状部２５ｂから凹状部２５ｃ側に僅かに偏った位置に配置されている。図示しないが、他方の境界線１ａも、他方の目印部２２に対して同様の位置（目印部２２の周方向における中央に位置する凹状部２５ｂから凹状部２５ｃ側に僅かに偏った位置）に配置されている。また、キャップ２ａの外周面には、目印部２２に対して管軸周りに±９０°隔てた角度位置（図４に示す中心線Ｃ２が筒状部２３ａの外周面と交わる位置）に、管軸方向に延びる２つの溝から構成される直線状の一対の溝部２６が形成されている。また、直管型ＬＥＤ照明装置１００の取り付け作業の際に、一対の溝部２６の配置状態を確認することで、直管型ＬＥＤ照明装置１００の管軸周りの回転状態を把握することが可能である。すなわち、一対の端子２１を直接視認しなくてもその回転方向が把握することができるため、容易に直管型ＬＥＤ照明装置１００の設置作業を行うことが可能である。
【００２５】
また、図４に示すように、キャップ２ａの筒状部２３ａの内周面には、筒状部２３ａの外周面に形成された一対の目印部２２および一対の溝部２６に対応する位置（中心線Ｃ１およびＣ２上の位置）に、管軸方向に直線状に延びる凹状の接着剤溜め部２７が形成されている。また、目印部２２に対応する位置に配置された接着剤溜め部２７は、２つの凹状の溝から構成され、一対の溝部２６に対応する位置に配置された接着剤溜め部２７は、１つの溝から構成されている。また、キャップ２ａは、チューブ１と同じ樹脂材（たとえば、ポリカーボネート）により構成されており、筒状部２３ａ、２３ｂおよび底部２４は、互いに一体的に形成されている。また、キャップ２ａは、外部から供給される電力を直管型ＬＥＤ照明装置１００の内部に取り込むために設けられている。なお、接着剤溜め部２７は、成形性や強度の観点から、キャップ２ａの半径方向においてできる限り薄肉部が形成されないようにするのが好ましい。このため、キャップ２ａは、図４に示すように、内周面に形成された溝と外周面に形成された溝との位相（位置）が僅かにずれた状態で溝が交互に配置されるように構成されている。すなわち、図４に示すように、凹状部２５ａと凹状部２５ｂとの間の筒状部２３ａの内周面側に一方の溝が配置されるとともに、凹状部２５ｂと凹状部２５ｃとの間の筒状部２３ａの内周面側に他方の溝が配置される。したがって、筒状部２３ａの周方向における一部は、凹状部２５ａ、２５ｂおよび２５ｃと、上記内周面に形成された溝（接着剤溜め部２７）とによって、波状に形成されている。筒状部２３ａの一対の溝部２６に対応する内周面側においても同様に接着剤溜め部２７が形成されている。
【００２６】
複数のＬＥＤ基板３は、図３に示すように、平面視で矩形形状を有し、管軸方向（Ｘ方向）に延びるように形成されている。また、複数のＬＥＤ基板３は、図示しない配線により隣接するＬＥＤ基板３に接続されている。また、各ＬＥＤ基板３は、熱伝導性に優れたガラス系基板（たとえば、ガラスコンポジット基板）からなり、約１ｍｍの板厚を有している。また、各ＬＥＤ基板３の発光素子実装面３１には、図５および図６に示すように、複数のＬＥＤ素子３ａが実装されている。複数のＬＥＤ素子３ａは、図５に示すように、管軸方向（Ｘ方向）に互いに所定の間隔を隔てて１列で配列されている。また、図５〜図７に示すように、ＬＥＤ基板３の発光素子実装面３１には、複数のＬＥＤ素子３ａを覆うように蛍光体部材３ｂが設けられている。蛍光体部材３ｂは、管軸方向から見てドーム形状を有し、管軸方向に延びるように設けられている。また、蛍光体部材３ｂは、ＬＥＤ素子３ａから出射される光を受けて蛍光を放つように構成されている。
【００２７】
ヒートシンク４は、図３に示すように、管軸方向（Ｘ方向）に延びるように形成されている。詳細には、ヒートシンク４は、チューブ１よりも小さい長さに形成されており、管軸方向においてチューブ１の略中央に配置されるように構成されている。また、ヒートシンク４は、熱伝導性に優れた金属材（たとえば、アルミニウム材）からなる。また、ヒートシンク４は、図６および図７に示すように、中空形状に形成されている。具体的には、ヒートシンク４は、Ｚ１方向側に配置された平坦状部４１と、Ｚ２方向側に配置された円弧状部４２とを含んでいる。平坦状部４１と円弧状部４２との間には、平坦状部４１と円弧状部４２とを互いに連結する補強リブ４３が設けられている。
【００２８】
平坦状部４１は、ＬＥＤ基板３が載置される基板載置部４１ａを有し、平坦状に形成されている。また、平坦状部４１には、ヒートシンク４の管軸方向の一方端部から他方端部まで、管軸方向の全域にわたって管軸方向に延びる一対のリブ４１１が設けられている。一対のリブ４１１は、図６に示すように、平坦状部４１からＺ１方向側に突出するとともに、基板載置部４１ａのＹ方向の両端部に配置されている。また、一対のリブ４１１は、平坦状部４１に一体的に形成されている。また、一対のリブ４１１は、ＬＥＤ基板３のＹ方向への移動を規制する移動規制部材として機能するように構成されている。また、一対のリブ４１１は、ＬＥＤ基板３の板厚（Ｚ１方向の厚み）よりもＺ１方向への突出量が小さくなるように形成されている。これにより、ＬＥＤ素子３ａから出射される光が一対のリブ４１１により遮られるのを防止することが可能である。また、基板載置部４１ａには、ＬＥＤ基板３が接着部材（たとえば、両面テープ）により固定的に取り付けられる。円弧状部４２は、図６に示すように、管軸方向（Ｘ方向）から見て、チューブ１の内面１２ａと略同じ曲率の外面４２ａを有している。すなわち、円弧状部４２は、管軸方向（Ｘ方向）から見て、チューブ１の内面１２ａと略同じ曲率で円弧形状に形成されている。
【００２９】
ヒートシンク４は、チューブ１の内部に収納された状態で、チューブ１に設けられた一対のリブ１２１により、所定の配置位置からずれるのが規制されている。具体的には、ヒートシンク４は、一対のリブ１２１とチューブ１の内面１２ａとに挟み込まれることによって、所定の配置位置からチューブ１の管軸方向に交差する方向（Ｙ方向、Ｚ方向および管軸回りに回動する方向）にずれるのが規制される。すなわち、ヒートシンク４は、円弧状部４２がチューブ１の内面１２ａに当接するとともに平坦状部４１が一対のリブ１２１に当接することによって、チューブ１の管軸方向に交差する方向に移動するのが規制されるように構成されている。円弧状部４２は、略同じ曲率を有するチューブ１の内面１２ａに面接触状態で当接するとともに、平坦状部４１は、Ｙ方向の両端部近傍がそれぞれ一対のリブ１２１に当接している。また、ヒートシンク４は、後述するように、２つのスペーサ部材７により、所定の配置位置から管軸方向にずれるのが規制されるように構成されている。
【００３０】
電源基板５は、図３および図８に示すように、複数のＬＥＤ素子３ａに電力を供給するための複数の電子部品５ａを実装するために設けられている。制御基板６は、輝度調整などを行うための制御動作を司る複数の電子部品６ａを実装するために設けられている。電源基板５および制御基板６は、図８に示すように、それぞれ、チューブ１の内部においてヒートシンク４のＸ方向の両側のスペースに配置されるように構成されている。詳細には、電源基板５および制御基板６は、チューブ１の管軸方向（Ｘ方向）の中央に配置されたヒートシンク４よりも外側のスペースで、ヒートシンク４を管軸方向の両側から挟み込む位置に配置されている。また、電源基板５および制御基板６は、それぞれ、ヒートシンク４の管軸方向の両側に配置されたスペーサ部材７に対応する位置に配置されている。
【００３１】
また、電源基板５および制御基板６は、チューブ１の内部において、チューブ１の両端部に取り付けられるキャップ２ａおよび２ｂにより覆われる位置に配置されている。また、電源基板５および制御基板６は、チューブ１の表部１２の内面１２ａに接着剤により固定的に取り付けられる。具体的には、電源基板５（制御基板６）は、電子部品５ａ（６ａ）の実装面５１（６１）がチューブ１の裏部１３側（Ｚ２方向側）を向く状態で、チューブ１の表部１２の内面１２ａに接着剤により固定的に取り付けられている。
【００３２】
２つのスペーサ部材７の一方は、ヒートシンク４がチューブ１の内部に収納されるとともに２つのキャップ２ａがチューブ１の一方端部（Ｘ１方向の端部）に取り付けられた状態（直管型ＬＥＤ照明装置１００が組み立てられた状態）において、ヒートシンク４とキャップ２ａとの間の管軸方向の隙間に配置されている。また、他方のスペーサ部材７は、ヒートシンク４がチューブ１の内部に収納されるとともにキャップ２ｂがチューブ１の他方端部（Ｘ２方向の端部）に取り付けられた状態において、ヒートシンク４とキャップ２ｂとの間の管軸方向の隙間に配置されている。
【００３３】
２つのスペーサ部材７は、互いに同様の構成を有している。具体的には、スペーサ部材７は、図７に示すように、チューブ１の内面１３ａと略同じ曲率の外表面７ａを有している。詳細には、スペーサ部材７は、管軸方向（Ｘ方向）から見て、チューブ１の内面１３ａと略同じ曲率の外表面７ａを有する円弧形状に形成されている。また、スペーサ部材７は、管軸方向に延びるように形成されている。また、スペーサ部材７のＹ方向の両端部は、チューブ１の一対のリブ１２１に当接するように構成されている。すなわち、スペーサ部材７は、一対のリブ１２１により、所定の配置位置からずれる（移動する）のが規制されている。具体的には、スペーサ部材７は、ヒートシンク４と同様に、一対のリブ１２１とチューブ１の内面１３ａとに挟み込まれることによって、所定の配置位置からチューブ１の管軸方向に交差する方向（Ｙ方向、Ｚ方向および管軸回りに回動する方向）にずれるのが規制される。スペーサ部材７の外表面７ａは、略同じ曲率を有するチューブ１の内面１３ａに面接触状態で当接するとともに、スペーサ部材７のＹ方向の両端部は、それぞれ、一対のリブ１２１に当接している。
【００３４】
また、スペーサ部材７は、直管型ＬＥＤ照明装置１００が組み立てられた状態において、図６に示すように、管軸方向のヒートシンク４側の一方端部７ｂがヒートシンク４に当接するとともに、他方端部７ｃがキャップ２ａおよび２ｂの筒状部２３ｂの内面１２３（図４および図８に示す、Ｘ方向に直行するリング状の面）に当接するように構成されている。すなわち、スペーサ部材７は、図８に示すように、キャップ２ａおよび２ｂがチューブ１に取り付けられる際に、キャップ２ａおよび２ｂの筒状部２３ｂの内面１２３により他方端部７ｃが挿入方向に押されることによって、一方端部７ｂによりヒートシンク４を押圧して所定の配置位置に位置決めするように構成されている。
【００３５】
次に、図２、図３、図６〜図９を参照して、直管型ＬＥＤ照明装置１００の組み立て手順について説明する。
【００３６】
まず、図３および図７に示すように、ＬＥＤ基板３をヒートシンク４の基板載置部４１ａに取り付けた状態で、ヒートシンク４をチューブ１の内部に挿入する。この際、図６および図７に示すように、ヒートシンク４を、チューブ１の一対のリブ１２１と内面１３ａとに挟まれる領域に挿入する。そして、図３および図８に示すように、ヒートシンク４を挟み込むように、チューブ１の両端部からそれぞれ電源基板５および制御基板６をチューブ１の内部に挿入する。この際、電源基板５および制御基板６に図示しない所定の配線を施すとともに、電源基板５および制御基板６を接着剤によりチューブ１の内面１２ａに取り付ける。
【００３７】
その後、２つのスペーサ部材７を、それぞれ、チューブ１の管軸方向の両側からチューブ１の内部に挿入する。この際、図８に示すように、スペーサ部材７を、ヒートシンク４と同様に、チューブ１の一対のリブ１２１と内面１３ａとに挟まれる領域に挿入する。また、一対のリブ１２１をガイドとして、スペーサ部材７を一対のリブ１２１に沿って管軸方向に挿入する。
【００３８】
この状態で、図９に示すように、キャップ２ａを、キャップ２ａの一方の目印部２２とチューブ１の一方の境界線１ａとを対応させる。そして、キャップ２ａをチューブ１に対して所定の回転方向に保持した状態で、チューブ１の管軸方向の一方端部（Ｘ１方向の端部）の開口を塞ぐように取り付ける。詳細には、まず、キャップ２ａの内周面に、接着剤を塗布する。次に、キャップ２ａをチューブ１の一方端部に覆い被せるようにして取り付ける。次に、図２に示すように、キャップ２ａの一方の目印部２２とチューブ１の一方の境界線１ａとが回転方向において略対応するように調整する。すなわち、ともに直線状の一方の目印部２２および一方の境界線１ａが略同一直線上に配置されるように調整する。このようにすることで、他方の目印部２２と他方の境界線１ａとが、同様に、回転方向において略対応する位置に配置される。
【００３９】
ここで、さらに位置決めの精度を高めるために、以下のようにして微調整を行うこともできる。チューブ１に対するキャップ２ａの位置を微調整するために、一対の目印部２２および一対の境界線１ａの位置関係をそれぞれ確認する。そして、一対の目印部２２のそれぞれを構成する凹状部２５ａ、２５ｂおよび２５ｃに対する一対の境界線１ａの位置関係が同じとなるように微調整を行う。図２に示す場合においては、一方の境界線１ａが、一方の目印部２２の周方向における中央に位置する凹状部２５ｂから凹状部２５ｃ側に僅かに偏る位置で位置決めされている。図示しないが、他方の目印部２２においても同様の位置で他方の境界線１ａが位置決めされている。そして、キャップ２ａがチューブ１に取り付けられる際、キャップ２ａの筒状部２３ｂの内面１２３により対応するスペーサ部材７の他方端部７ｃが押圧されて、スペーサ部材７はチューブ１の内部にさらに押し込まれる。次に、キャップ２ａを取り付けたように、チューブ１の管軸方向の他方端部（Ｘ２方向の端部）にもキャップ２ｂを取り付ける。これにより、図８に示すように、チューブ１の両側から押し込まれた２つのスペーサ部材７の一方端部７ｂにより、ヒートシンク４が管軸方向の両側から所定の配置位置に位置決めされる。なお、キャップ２ａおよび２ｂは、いずれを先に取り付けてもよい。
【００４０】
本実施形態では、上記のように、キャップ２ａおよび２ｂの筒状部２３ａのチューブ１の一対の境界線１ａに対応する位置に、チューブ１に対するキャップ２ａおよび２ｂの回転方向の位置決めを行うための一対の目印部２２を設ける。これにより、チューブ１の外周面の一対の境界線１ａに対してキャップ２ａおよび２ｂの一対の目印部２２を外側から視認しながら位置合わせをすることができるので、組み立て時において、キャップ２ａおよび２ｂとチューブ１との回転方向の位置決めを容易に行うことができる。
【００４１】
また、本実施形態では、チューブ１に、２本の境界線１ａを設け、キャップ２ａおよび２ｂの筒状部２３ａの外周面に、２本の境界線１ａのそれぞれに対応する一対の目印部２２を設ける。これにより、異なる回転方向の位置に形成され一対の目印部２２のうちのいずれの目印部２２を用いてもキャップ２ａおよび２ｂとチューブ１との位置決めを行うことができるので、一定の方向からしか目印部２２を目視することができない場合に比べて、キャップ２ａおよび２ｂとチューブ１との位置決めする際の作業性を向上できる。
【００４２】
また、本実施形態では、キャップ２ａおよび２ｂの目印部２２を、管軸方向から見て一対の端子２１を結ぶ直線の延長線上（Ｃ１上）の外表面に配置する。これにより、キャップ２ａおよび２ｂの一対の目印部２２から一対の端子２１の配置状態を把握することができるので、直管型ＬＥＤ照明装置１００を取り付ける際に、一対の端子２１を直接視認することができない場合でも一対の端子２１を所望の方向に向けて直管型ＬＥＤ照明装置１００を容易に取り付けることができる。
【００４３】
また、本実施形態では、キャップ２ａおよび２ｂの一対の目印部２２の周方向における長さを、チューブ１の境界線１ａの周方向における長さよりも大きく設定する。これにより、製造誤差に起因してチューブ１の境界線１ａの位置が周方向にばらつく場合でも、キャップ２ａおよび２ｂの一対の目印部２２の周方向の範囲内にチューブ１の境界線１ａを位置合わせして、キャップ２ａおよび２ｂとチューブ１との位置決めを容易に行うことができる。
【００４４】
また、本実施形態では、管軸方向に線状に延びる凹状部２５ａ、２５ｂおよび２５ｃからなる一対の目印部２２を、キャップ２ａおよび２ｂの外周面にそれぞれ設ける。これにより、キャップ２ａおよび２ｂのチューブ１に対する位置決めを、線同士を対応させることによって行うことができるので、視覚的にわかりやすく容易に位置決めすることができる。
【００４５】
また、本実施形態では、一対の目印部２２を構成する線状の凹状部２５ａ、２５ｂおよび２５ｃを、互いに近接した状態で略平行に延びるように配置する。これにより、製造誤差に起因してチューブ１の境界線１ａの位置がばらつく場合でも、互いに近接した状態で略平行に延びる３本の凹状部２５ａ、２５ｂおよび２５ｃの周方向の配置範囲内にチューブ１の境界線１ａを位置合わせするとともに、線同士を対応させてキャップ２ａおよび２ｂとチューブ１との位置決めをより容易に行うことができる。
【００４６】
また、本実施形態では、キャップ２ａおよび２ｂの内周面に管軸方向に延びる凹状の接着剤溜め部２７を設ける。これにより、接着剤を用いてキャップ２ａおよび２ｂをチューブ１に取り付ける際に、凹状の接着剤溜め部２７に接着剤を溜めることができるので、キャップ２ａおよび２ｂとチューブ１との接触面から接着剤がはみ出るのを防止することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、本発明の発光素子の一例として、ＬＥＤ素子を示したが、本発明はこれに限られない。本発明では、たとえば、半導体レーザ素子など、ＬＥＤ素子以外の発光素子であってもよい。
【００４９】
また、上記実施形態では、キャップの筒状部の外周面に形成された目印部が凹状に形成される例を示したが、本発明はこれに限られない。本発明では、たとえば、図１０および図１１に示すように、目印部２２２がキャップ２０の筒状部２２３の外周面から外側に突出するように凸状に形成されていてもよい。また、上記実施形態の一対の溝部に対応する部分２２６が凸状に形成されていてもよい。このように、目印部２２２および上記実施形態の一対の溝部に対応する部分２２６が凸状に形成されていると、直管型ＬＥＤ照明装置２００を平面上に置いた際に、目印部２２２および上記実施形態の一対の溝部に対応する部分２２６が回り止めとして機能するので、安定した状態で保持できる。この他に、たとえば、目印部がキャップの筒状部の外周面に他の部分とは異なる色調で描かれているものであってもよい。なお、筒状部２２３の半径方向においては、できる限り薄肉部が形成されないようにするのが好ましい。そこで、たとえば、接着剤溜め部２２７を構成する溝は、目印部２２２および上記実施形態の一対の溝部に対応する部分２２６に対応する筒状部２２３の内周面側にそれぞれ配置している。
【００５０】
また、上記実施形態では、本発明のキャップの一例として、底部を有する円筒形状のキャップを示したが、本発明はこれに限られない。本発明では、たとえば、断面が多角形形状など、底部を有する円筒形状以外の底部を有する管形状であってもよい。
【００５１】
また、上記実施形態では、キャップが、キャップの筒状部の内周面であって、筒状部の外周面に形成された一対の目印部および一対の溝部に対応する位置に、管軸方向に直線状に延びる１つまたは２つの溝からなる接着剤溜め部を備える例を示したが、本発明はこれに限られない。本発明では、たとえば、接着剤溜め部を構成する溝の数は３つ以上であってもよい。
【００５２】
また、上記実施形態では、一対の目印部が、直線状の凹状部から形成されている例を示したが、本発明はこれに限られない。本発明では、たとえば、目印部が、曲線状に形成されていてもよい。
【００５３】
また、上記実施形態では、一対の目印部は、それぞれ３つの凹状部から構成されている例を示したが、本発明はこれに限られない。本発明では、たとえば、目印部を構成する凹状部の数が、１つであってもよいし、２つまたは４つ以上であってもよい。
【符号の説明】
【００５４】
１  チューブ（管体）
１ａ  境界線
２ａ、２ｂ、２０  キャップ
３ａ  ＬＥＤ素子（発光素子）
１２  表部（第１部分）
１３  裏部（第２部分）
２１  端子
２２、２２２  目印部
２５ａ、２５ｂ、２５ｃ  凹状部
２７、２２７  接着剤溜め部
１００、２００  直管型ＬＥＤ照明装置（照明装置）
【図１】
2014175260.tif 000003
【図２】
2014175260.tif 000004
【図３】
2014175260.tif 000005
【図４】
2014175260.tif 000006
【図５】
2014175260.tif 000007
【図６】
2014175260.tif 000008
【図７】
2014175260.tif 000009
【図８】
2014175260.tif 000010
【図９】
2014175260.tif 000011
【図１０】
2014175260.tif 000012
【図１１】
2014175260.tif 000013